(57)【要約】      （修正有）【課題】浄水機能を奏する構成要素の寿命が非常に長い、言い換えれば所期の一定の浄水機能を長時間にわたって奏することのできる浄水器及び浄水方法を提供する。【解決手段】浄水される水をＡｇクロスフィルタ８、高純度活性炭１２、食用風化造礁サンゴ粒１３、ひる石１４、食用風化造礁サンゴ粒１５、Ａｇクロスフィルタ９、１０、食用風化造礁サンゴ粒１６、備長炭１７、多孔質セラミック１８、食用風化造礁サンゴ粒１９、高純度活性炭２０、Ａｇクロスフィルタ１１、炭素繊維フィルタ２１の各層を順次通過させることにより浄水する。【選択図】図１
2005313132.tif 000002
【特許請求の範囲】
【請求項１】
Ａｇクロスフィルタ、高純度活性炭、食用風化造礁サンゴ粒、ひる石、食用風化造礁サンゴ粒、Ａｇクロスフィルタ、食用風化造礁サンゴ粒、備長炭、多孔質セラミック、食用風化造礁サンゴ粒、高純度活性炭、Ａｇクロスフィルタ、炭素繊維フィルタの各層を順次通過させることを特徴とする水の浄水方法。
【請求項２】
通水量は造礁サンゴの骨格の容積に対して１分当たり１００％〜２００％程度（即ち同量から２倍量）である請求項１の浄水方法。
【請求項３】
通水量はひる石の容積容積に対して１分当たり８００％〜１，０００％程度（即ち８倍量から１０倍量）である請求項１の浄水方法。
【請求項４】
水の流入側から流出側に向けて水の流入口、順次Ａｇクロスフィルタ、活性炭層部、食用風化造礁サンゴ粒層部、ひる石層部、食用風化造礁サンゴ粒層部、Ａｇクロスフィルタ、食用風化造礁サンゴ粒層部、備長炭層部、多孔質セラミック層部、食用風化造礁サンゴ粒層部、高純度活性炭層部、Ａｇクロスフィルタ、炭素繊維フィルタ、水の流出口より構成される連続式家庭用浄水器。
【請求項５】
水の流入側から流出側に向けて順次水の流入口、クロスフィルタ、活性炭層部、食用風化造礁サンゴ粒層部、ひる石層部、食用風化造礁サンゴ粒層部、Ａｇクロスフィルタ、水の流出口より構成される第一浄水タンクと水の流入口、Ａｇクロスフィルタ、食用風化造礁サンゴ粒層部、備長炭層部、多孔質セラミック層部、食用風化造礁サンゴ粒層部、高純度活性炭層部、Ａｇクロスフィルタ、炭素繊維フィルタ、水の流出口よりより構成される第二浄水タンクで構成され、第一浄水タンクの流出口と第二浄水タンクの水の流入口をパイプで連結した請求項４の連続式家庭用浄水器。
【請求項６】
第一浄水タンクと第二浄水タンクが夫々単一のハウジングよりなり、活性炭、食用風化造礁サンゴ粒、ひる石、備長炭の各層部はそれらの構成部材を収納した別体のカートリッジにより形成され他の構成要素と共に所定の配置にそのハウジング内に配設される請求項４の連続式家庭用浄水器。
【発明の詳細な説明】
【技術分野】
【０００１】  本発明は、連続式家庭用浄水器及び浄水方法に関する。
【技術背景】
【０００２】  浄水とは特に家庭を対象とした浄水とは一般に水道水等の特に飲料に供される水から有害不要な物質を除去し、さらに有害とならない範囲で飲料としての水の味を向上させることを言う。
そのような機能を奏することを目的とした浄水方法はこれまで多くの方法が提供されてきており、また浄水方法を実行するための機器もその形式、態様、濾過材の種類などによって非常に多種多様のものが提供されてきている。
【０００３】  従来のどのような種類の浄水方法あるいはそれを実行するための機器であっても化学剤を添加すなどの特殊な場合を除けば実行時間、使用時間の経過と共に能力が低下したり、不要な物質が滞積することが避けられない。従って従来においては所期の一定水準の浄水機能を奏させるためには必ずその機能を奏する要素の交換、或は浄水機器そのものを交換することが不可欠である。
【０００４】  しかし、浄水器においては浄水機能を奏する要素が最も重要なものであると同時に費用的にも大きな部分を占めるものであるから、浄水機能を奏する要素の交換或は浄水器自体を交換しなければならないことは大きなマイナス要素である。このマイナス要素を克服するためには浄水機能を奏する構成要素として所謂劣化しないものが作出され或はそのようなものを使用する浄水方法が創出されれば解決するのであるが、現時点の技術においては未だその段階には到っていない。
それに代わる手段としては、浄水機能を奏する構成要素が一定の効果を維持する時間を出きるだけ長くすることである。
【発明の開示】
【発明が解決しようとする課題】
【０００５】  本発明は浄水機能を奏する構成要素の寿命が非常に長い、言い換えれば所期の一定の浄水機能を長時間にわたって奏することのできる浄水器及び浄水方法を提供することである。
【課題を解決するための手段】
【０００６】  本発明は上記の課題を解決するために、浄水される水をＡｇクロスフィルタ、高純度活性炭、食用風化造礁サンゴ粒、ひる石、食用風化造礁サンゴ粒、Ａｇクロスフィルタ、食用風化造礁サンゴ粒、備長炭、多孔質セラミック、食用風化造礁サンゴ粒、高純度活性炭、Ａｇクロスフィルタ、炭素繊維フィルタの各層を順次通過させることにより水を浄水する。【０００７】  食用風化造礁サンゴ粒の粒度は１０μｍから３ｍｍオーダー、ひる石の粒度は０．１ｍｍから５ｍｍオーダーであることが好ましい。
通水量は食用風化造礁サンゴ粒の容積に対して１分当たり１００％〜２００％程度（即ち同  通水量はひる石の容積に対して１分当たり８００％〜１，０００％程度（即ち８倍量から１０倍量）であることが好ましい。【０００８】  逆に言えば。このような通水割合になるように造礁サンゴの骨格の分量及びひる石の分量を選択する。
造礁サンゴの骨格は食用風化造礁サンゴ粒が好ましいが、可能であれば風化前のサンゴの骨格を粉砕したものであってもよい。
Ａｇクロスフィルタは不織布に銀粉末をコーティングしたものである。【０００９】  本発明はまた上記の課題を解決するために家庭用浄水器を、水の流入側から流出側に向けて水の流入口、順次Ａｇクロスフィルタ、活性炭層部、食用風化造礁サンゴ粒層部、ひる石層部、食用風化造礁サンゴ粒層部、Ａｇクロスフィルタ、食用風化造礁サンゴ粒層部、備長炭層部、多孔質セラミック層部、食用風化造礁サンゴ粒層部、高純度活性炭層部、Ａｇクロスフィルタ、炭素繊維フィルタ、水の流出口より構成した。【００１０】  浄水器を二つのタンクに分割構成し、第一の浄水タンクは水の流入側から流出側に向けて順次水の流入口、クロスフィルタ、活性炭層部、食用風化造礁サンゴ粒層部、ひる石層部、食用風化造礁サンゴ粒層部、Ａｇクロスフィルタ、水の流出口より構成し、第二浄水のタンクは水の流入口、Ａｇクロスフィルタ、食用風化造礁サンゴ粒層部、備長炭層部、多孔質セラミック層部、食用風化造礁サンゴ粒層部、高純度活性炭層部、Ａｇクロスフィルタ、炭素繊維フィルタ、水の流出口より構成し、第一浄水タンクの流出口と第二浄水タンクの水の流入口を通水パイプで連結してもよい。
【発明の効果】
【００１１】  本発明の水の浄水方法及びそれを実施する浄水器は上記のような構成で特定の順序で特定の浄水要素に水を通過させて浄水するので、高い浄水が得られ、また一定の浄水能力が永く持続される、即ち浄水機能の寿命が極めて長い。また、造礁サンゴの骨格及びひる石との接触によって浄水中に天然のミネラルが好適に溶出し、全体として安全で健康に寄与し得る美味な飲料水を得ることを可能にするものである。
【発明を実施するための最良の形態】
【実施例１】
【００１２】  本発明を一実施例を図式的に示す図１を用いて説明する。なお、この図は本発明の浄水方法のフローチャートを示すものと理解されることが可能である。
図１は本発明の家庭用浄水器の構成を示す。
図において１はＡＢＳ樹脂製の円筒状の第一浄水タンク、２は同じく円筒状の第二浄水タンクである。３は第一浄水タンク１の浄水される水の流入口、４は第二浄水タンク２の浄水された水の流出口である。【００１３】  ５は第一浄水タンク１の水の流出口、６は第二浄水タンク２の水の流入口であり、それらはパイプ７によって連結されており、第一浄水タンク１から出た水はそのパイプ７を経由して第二浄水タンク２に流入する。
第一浄水タンク１の両端部と第二浄水タンク２の前端部及び第二浄水タンク２の後端部の炭素繊維フィルタ２１の手前にＡｇクロスフィルタ８，９，１０，１１が装着してある。【００１４】  第一浄水タンク１のＡｇクロスフィルタ８の次には高純度の活性炭が収納された活性炭層部１２が設けてあり、続いて食用風化造礁サンゴ粒を収納した食用風化造礁サンゴ粒層部１３が設けてあり、続いてひる石を収納したひる石層部１４が設けてある。さらにそれに続いて最初の食用風化造礁サンゴ粒層部１３と同じ構成の食用風化造礁サンゴ粒層部１５が設けてあり、それに隣接してＡｇクロスフィルタ９が装着してある。【００１５】  第二浄水タンク２は浄水される水の流入口６に続いてＡｇクロスフィルタ１０が装着してあり、次いで第一浄水タンク１におけると同様の食用風化造礁サンゴ粒を収納した食用風化造礁サンゴ粒層部１６が設けてあり、さらにそれに続いて備長炭収納した備長炭層部１７、次いで多孔セラミック層１８、さらに食用風化造礁サンゴ粒層部１６と同じ構成の食用風化造礁サンゴ粒層部１９、さらに続いて高純度の活性炭が収納された活性炭層部２０が設けてあり、続いてＡｇクロスフィルタ１１が装着され最後に炭素繊維フィルタ２１が設けてある。【００１６】  活性炭は高純度の椰子ガラ活性炭の微粒子、食用風化造礁サンゴ粒は沖縄産の中粒のサンゴパウダー、ひる石は小野鉱石を用いた。
第一浄水タンク１及び第二浄水タンク２の各構成部は各収納物が逸出不能な適宜の隔壁手段によって区分けされてもよい。また第一浄水タンク１あるいは第二浄水タンク２それぞれをひとつのハウジングで構成し、それらのハウジング中に各構成物を収納した別体で独立したカートリッジを所定の順序に並べ入れることによって形成してもよい。
また、この実施例では浄水器本体を二分割したが浄水器本体を単一に構成するときには、Ａｇクロスフィルタ９及び１０は単一層としてよいことは勿論である。【００１７】  第一浄水タンク１の流水口３は浄水される水の供給源に連結され、供給された水は第一浄水タンク１の各構成部の中を収納物に接触しながら第一浄水タンク１の中を通過して流出口５から流出し、パイプ７を経由して第二浄水タンク２の流入口６から第二浄水タンク２内に入り、第二浄水タンク２の各構成部の中を収納物に接触しながら第二浄水タンク２の中を通過して流出口４から流出する。浄水されて流出口４から出た水はそのまま利用することができる。【００１８】  上記実施例の浄水器により浄水の品質試験を専門の非営利機関で行なった。東京都下の一都市の水道水を流量４ｌ／分で１０，０００ｌ通水後の通過水を２ｌ採取し、水質基準に関する省令（平成４年衛水第２６４号）に従って試験した。その結果の一部を次に示す。【００１９】分析（試験）項目    結果
一般細菌                    １００以下／ｍｌ
大腸菌群                    検出せず
硝酸性窒素及び
亜硝酸性窒素              １．１ｍｇ／ｌ
塩素イオン                  １６ｍｇ／ｌ
有機物等                    １．０ｍｇ／ｌ
ｐＨ値                      ７．７（２０℃）
味                          異常なし
臭気                        異常なし
色度                        １度以下
濁度                        １度以下
総トリハロメタン            検出せず
カルシウム・
マグネシウム等（硬度）    ６３ｍｇ／ｌ
シマジン（ＣＡＴ）          検出せず
遊離残留塩素                検出せず
カルシウム                  １９ｍｇ／ｌ【００２０】  上記の試験結果は、通水１０，０００ｌ後の浄水についての試験の結果であることを考慮すれば、従来提供されてきた浄水器の性能の数倍の浄水能力（寿命）を持つものであることが当該技術分野の技術者には理解されるであろう。
【図面の簡単な説明】
【００２１】
【図１】  本発明の浄水器の構成を図式的に示す図である。
【符号の説明】
【００２２】１  第一浄水タンク
２  第二浄水タンク
３、６  水の流入口
４、５  水の流出口
７  通水パイプ
８，９，１０，１１  Ａｇクロスフィルタ
１２，２０  高純度活性炭層部
１３，１５，１６，１９  食用風化造礁サンゴ粒層部
１４  ひる石層部
２１  炭素繊維フィルタ
【図１】
2005313132.tif 000003